(57)【要約】【課題】異なる規格の配線基板をコンパクトに連結して、接続互換性を拡げることができる複合配線基板を提供することを目的とする。【解決手段】マルチバス規格で設計された制御ボックス１に複数の配線基板３Ａ，３Ｂを組み込む際に、ＶＭＥバス規格の配線基板５を組み込む必要がある場合には、電気信号の変換機能を有する配線基板６と配線基板５とを連結部材１１を用いて組み合わせて複合配線基板３Ａとし、連結部１１を案内ガイド１ｃに案内される被案内部を兼ねさせて制御ボックス１内に装着し、配線基板５をマルチバス規格のコネクタ８を介してマザーボード２に電気的に接続する。これにより、異なる規格の配線基板をコンパクトに連結した複合配線基板を実現することができる。【選択図】  図２
2004327588.tif 000002
【特許請求の範囲】
【請求項１】
複数の異なる配線基板から成り、案内レールと第１の接続部を有する制御ボックスに対して該案内レールに沿って挿入され、前記第１の接続部に電気的に接続される複合配線基板であって、前記第１の接続部と電気的に接続される第２の接続部と、前記第１の接続部および第２の接続部とは規格が異なる第３の接続部と、前記第３の接続部と電気的に接続される第４の接続部と、前記第２の接続部および第３の接続部が設けられ該第２の接続部および第３の接続部の間を流れる電気信号を相互に変換して電気的な整合をとる第１の配線基板と、前記第４の接続部が設けられた第２の配線基板と、前記第１の配線基板と第２の配線基板とを連結する連結部材と、前記案内レールに案内される被案内部とを備え、前記第１の配線基板、第２の配線基板および前記連結部材が略同一平面上に配置され、且つ前記連結部材の一部が前記被案内部を兼ねることを特徴とする複合配線基板。
【発明の詳細な説明】
【０００１】
【発明の属する技術分野】
本発明は、電気信号を相互に変換して電気的な整合をとる変換用基板を含む複数の配線基板から成る複合配線基板に関するものである。
【０００２】
【従来の技術】
電子部品実装装置などの自動化装置では、装置各部の動作を制御するための制御装置を備えている。この制御装置は、一般に制御機能を有するプリント配線基板を多数収容した制御ボックスを有している。プリント配線基板の装着は、基板端部に設けられたコネクタ部を制御ボックス内のマザーボードに設けられた接続用スロットに差し込むことにより装着される（例えば特許文献１参照）。
【０００３】
【特許文献１】
特開平３−２７３６９８号公報
【０００４】
【発明が解決しようとする課題】
このようなプリント配線基板は、外形寸法やコネクタ部が規格化されており、この規格に対応した制御ボックスに収納される。近年の急速な技術革新に伴ってこの規格も変化しており、業界において一部の配線基板に対してより小型で高機能の配線基板を新たな標準の規格とする動向が見られる。
【０００５】
このような新たな規格に基づいて設計された配線基板は、従来のものとは外形寸法およびコネクタ部の取り合いや信号授受の方式が異なり、マザーボードと接続する際の接続互換性がないため、従来の制御ボックスにそのまま取り付けることができない。また、新たな規格のコネクタを部分的に変更、またはアダプタを介して従来の制御ボックスに接続するにあたっても、その取付け構造をコンパクトにまとめるのは非常に困難であった。
【０００６】
そこで本発明は、異なる規格の配線基板をコンパクトに連結して、接続互換性を拡げることができる複合配線基板を提供することを目的とする。
【０００７】
【課題を解決するための手段】
請求項１記載の複合配線基板は、複数の異なる配線基板から成り、案内レールと第１の接続部を有する制御ボックスに対して該案内レールに沿って挿入され、前記第１の接続部に電気的に接続される複合配線基板であって、前記第１の接続部と電気的に接続される第２の接続部と、前記第１の接続部および第２の接続部とは規格が異なる第３の接続部と、前記第３の接続部と電気的に接続される第４の接続部と、前記第２の接続部および第３の接続部が設けられ該第２の接続部および第３の接続部の間を流れる電気信号を相互に変換して電気的な整合をとる第１の配線基板と、前記第４の接続部が設けられた第２の配線基板と、前記第１の配線基板と第２の配線基板とを連結する連結部材と、前記案内レールに案内される被案内部とを備え、前記第１の配線基板、第２の配線基板および前記連結部材が略同一平面上に配置され、且つ前記連結部材の一部が前記被案内部を兼ねる。
【０００８】
本発明によれば、変換用基板である第１の配線基板と機能基板である第２の配線基板とを組み合わせた複合配線基板において、第１の配線基板、第２の配線基板およびこれらを連結する連結部材を略同一平面上に配置し、且つ連結部材の一部が制御ボックスに設けられた案内レールに対応した被案内部を兼ねるように構成することにより、異なる規格の配線基板をコンパクトに連結した複合配線基板を実現することができる。
【０００９】
【発明の実施の形態】
次に本発明の実施の形態を図面を参照して説明する。図１は本発明の一実施の形態の複合配線基板が装着される制御ボックスの斜視図、図２は本発明の一実施の形態の複合配線基板の制御ボックスへの装着状態の説明図、図３は本発明の一実施の形態の複合配線基板の構成説明図、図４は本発明の一実施の形態の複合配線基板の平面図である。
【００１０】
まず図１、図２を参照して、複合配線基板が装着される制御ボックスについて説明する。図１において、制御ボックス１は箱形の筐体の内部に、マルチバスサイズの複数の配線基板を収容して構成されている。制御ボックス１の内部にはマザーボード２が垂直姿勢で配設されており（図２参照）、マザーボード２には複数の配線基板３が装着され、電気的に接続される。配線基板３の装着は、制御ボックス１の前面に設けられた開口部１ａから配線基板３を奥側に向かって挿入することにより行われ、装着時には配線基板３は底板１ｂ上に設けられた案内レール１ｃに沿って案内されて挿入される。
【００１１】
次に図２を参照して、配線基板３について説明する。本実施の形態に示す制御ボックス１は、本来マルチバスサイズの配線基板を対象として設計されたものであるが、以下に説明するように、規格の異なる２種類の機能基板をそれぞれ含んだ配線基板３Ａ，３Ｂが装着可能となっている。
【００１２】
配線基板３Ａの装着は、ＶＭＥバス規格の機能基板である配線基板５を変換用基板である配線基板６に接続し、さらに配線基板６をコネクタ８を介してマザーボード２に設けられた第１の接続部であるコネクタ４に差し込んで電気的に接続することにより行われる。また、配線基板３Ｂは、マルチバス規格の配線基板７をコネクタ８を介してマザーボード２に設けられたコネクタ４に差し込むことにより行われる。コネクタ８は、第１の接続部と電気的に接続される第２の接続部となっている。
【００１３】
次に図３を参照して、配線基板３Ａの構成について説明する。配線基板３Ａは、マルチバス規格のボード用に設計された制御ボックス１に、規格の異なるＶＭＥバス規格の配線基板５を装着して機能させるために用いられる複合配線基板である。図３に示すように、配線基板３Ａは、前板３ａに配線基板５および配線基板６を組み合わせた構成となっている。第２の配線基板としての配線基板５には、第４の接続部であるＶＭＥバス規格のコネクタ９が設けられており、２つのコーナ部にはパネル取付用の取付孔５ａ、取付孔５ｂが予め設けられている。
【００１４】
配線基板６は、配線基板５と組み合わせてマルチバス規格の配線基板７と同じサイズにするためのＬ字形形状のアダプタ基板である。Ｌ字形の外面側にはマルチバス規格のコネクタ８が設けられ、内面側には配線基板５のコネクタ９に対応した第３の接続部であるコネクタ１０が設けられている。コネクタ８とコネクタ１０との間には、電気信号変換用の配線回路が設けられている。
【００１５】
すなわち、配線基板６は、第２および第３の接続部（コネクタ８およびコネクタ８とは規格が異なるコネクタ１０）が設けられ、該第２および第３の接続部の間を流れる電気信号を相互に変換して電気的な整合をとる第１の配線基板となっている。また配線基板６の両端の２つのコーナ部には取付孔６ａ、６ｂが設けられている。
【００１６】
前板３ａには、配線基板５と配線基板６とを保持して補強する連結部材１１が予め固着されており、連結部材１１には取付孔１１ａ、１１ｂが設けられている。連結部材１１は、第１の配線基板と第２の配線基板とを連結する連結部材となっている。また、前板３ａには基板固定用の固定タブ１２、１３が設けられている。配線基板５を用いて配線基板３Ａを組み立てる際には、配線基板５の取付孔５ａおよび配線基板６の取付孔６ｃを連結部材１１の取付孔１１ａ、１１ｂに止めねじを用いて固定し、さらに配線基板５の取付孔５ａおよび配線基板６の取付孔６ｂを固定タブ１３に、配線基板６の取付孔６ａを固定タブ１２に止めねじを用いて固定する。
【００１７】
このようにして組み立てられた配線基板３Ａを制御ボックス１に装着する際には、連結部材１１は案内レール１ｃに嵌合して案内される被案内部として機能する。すなわち、装着状態において配線基板６、配線基板５および連結部材１１が底板１ｂ上で略同一平面上に配置され、且つ連結部材１１の一部が案内レール１ｃに案内される被案内部を兼ねる形態となっている。
【００１８】
上記説明したように、ＶＭＥバス規格で製作された配線基板５に配線基板６を組み合わせて上記構成の複合配線基板とすることにより、本来接続互換性のない配線基板を共通のマザーボード２に組み込むことができる。したがって複数の配線基板が組み込まれる制御ボックスにおいて、異なる規格の配線基板をコンパクトに連結して、接続互換性を拡げることができる。
【００１９】
なお上記実施の形態では、アダプタ基板として機能する配線基板６をＬ字形状にした例を示しているが、本発明はこのようなＬ字形状には限定されず様々な形状が適用可能である。例えば、図４に示す配線基板３Ｃのように、配線基板５にアダプタ基板としてＩ字形状の配線基板６Ａを組み合わせるようにしてもよい。この場合には、配線基板６Ａの両端部を２つの連結部材１１Ａによって連結保持する。
【００２０】
【発明の効果】
本発明によれば、機能基板である第２の配線基板と変換用基板である第１の配線基板とを組み合わせた複合配線基板において、第１の配線基板、第２の配線基板およびこれらを連結する連結部材を略同一平面上に配置し、且つ連結部材の一部が制御ボックスに設けられた案内レールに対応した被案内部を兼ねるように構成することにより、異なる規格の配線基板をコンパクトに連結した複合配線基板を実現することができる。
【図面の簡単な説明】
【図１】本発明の一実施の形態の複合配線基板が装着される制御ボックスの斜視図
【図２】本発明の一実施の形態の複合配線基板の制御ボックスへの装着状態の説明図
【図３】本発明の一実施の形態の複合配線基板の構成説明図
【図４】本発明の一実施の形態の複合配線基板の平面図
【符号の説明】
１  制御ボックス
２  マザーボード
３，３Ａ，３Ｂ  配線基板
４  コネクタ
５、６  配線基板
８、９，１０  コネクタ
１１  連結部材
【図１】
2004327588.tif 000003
【図２】
2004327588.tif 000004
【図３】
2004327588.tif 000005
【図４】
2004327588.tif 000006